(57)【要約】【課題】  安全ネットを確実に取り付けることのできる安全ネットの取付構造を提供する。【解決手段】  建築時に、吹抜部分に取り付けられる安全ネットの取付構造であって、吹抜部分の梁に沿って設けられ複数の孔が形成された補強材１６と、幅方向の寸法が補強材１６の孔９の幅よりも僅かに大きく、且つ幅方向両側にそれぞれ溝部７，８が形成された取付金具Ａと、取付金具Ａの貫通孔６に取り付けられるカラビナとを備え、安全ネットを吹抜部分に取り付ける場合、取付金具Ａを傾斜させて補強材１６の孔９内に挿入するとともに、取付金具Ａを回動させて溝部７，８を孔９の内周縁部に嵌合させることにより、取付金具Ａを補強材１６に固定する一方、カラビナで安全ネットを係止する。【選択図】        図３
2006112196.tif 000002
【特許請求の範囲】
【請求項１】
建築時に、吹抜部分に取り付けられる安全ネットの取付構造であって、
前記吹抜部分の梁に沿って設けられ複数の孔が形成された補強材と、
幅方向の寸法が前記補強材の孔の幅よりも僅かに大きく、且つ幅方向両側にそれぞれ溝部が形成された取付部材と、
該取付部材に設けられた係止部材とを備え、
前記安全ネットを前記吹抜部分に取り付ける場合、
前記取付部材を傾斜させて前記補強材の孔内に挿入するとともに、該取付部材を回動させて前記溝部を前記孔の内周縁部に嵌合させることにより、前記取付部材を前記補強材に固定する一方、
前記係止部材で前記安全ネットを係止することを特徴とする安全ネットの取付構造。
【請求項２】
前記取付部本体は板状部材で形成されていることを特徴とする請求項１に記載の安全ネットの取付構造。
【請求項３】
建築時に、吹抜部分に取り付けられる安全ネットの取付構造であって、
前記吹抜部分の梁に沿って設けられ複数の孔が形成された補強材と、
幅方向両側に爪部が設けられ、一側の爪部と他側の爪部との間隔が前記補強材に形成された隣り合う孔の間のリブの幅よりも僅かに大きく形成された取付部材と、
該取付部材の一側端部に設けられた係止部材とを備え、
前記安全ネットを前記吹抜部分に取り付ける場合、
前記取付部材を水平にして幅方向両側の前記爪部を前記リブに合致させるとともに、前記係止部材が設けられた一側端部が下側になるよう前記取付部材を回動させて前記両爪部で前記リブを挟持することにより、前記取付部材を前記補強材に固定する一方、
前記係止部材で前記安全ネットを係止することを特徴とする安全ネットの取付構造。
【請求項４】
前記係止部材はカラビナであることを特徴とする請求項１又は３に記載の安全ネットの取付構造。
【請求項５】
建築時に吹抜部分に安全ネットを取り付ける際に、
前記吹抜部分の梁に、複数の孔が形成された補強材を設けておき、
幅方向の寸法が前記補強材の孔の幅よりも僅かに大きく且つ幅方向両側に溝部が形成された取付部材を、傾斜させた状態で前記補強材の孔内に挿入するとともに、該取付部材を回動させて前記溝部を前記孔の内周縁部に嵌合させることにより、前記取付部材を前記補強材に固定し、
次に、前記取付部材に設けられた係止部材で前記安全ネットを係止することを特徴とする安全ネットの取付方法。
【請求項６】
建築時に吹抜部分に安全ネットを取り付ける際に、
前記吹抜部分の梁に、複数の孔が形成された補強材を設けておき、
幅方向両側に爪部が設けられ一側の爪部と他側の爪部との間隔が前記補強材に形成された隣り合う孔の間のリブの幅よりも僅かに大きく形成された取付部材を、水平状態にして幅方向両側の前記爪部を前記リブに合致させるとともに、前記取付部材を傾斜させて前記両爪部で前記リブを挟持することにより、前記取付部材を前記補強材に固定し、
次に、前記取付部材の一側端部に設けられた係止部材で前記安全ネットを係止することを特徴とする安全ネットの取付方法。
【発明の詳細な説明】
【技術分野】
【０００１】
本発明は、建築時に吹抜部分に取り付けられる安全ネットの取付構造、および安全ネットの取付方法に関する。
【背景技術】
【０００２】
一般に、吹抜部分においては建築時に高所作業を伴うために、各階の間に安全ネットが取り付けられる。このような安全ネットは最終的には撤去されるものであるから、従来では、建物側には、安全ネットを固定するための部材や、また安全ネット取付用の金具を固定するための部材などは一切設けられていなかった。
【０００３】
しかし、これでは安全ネットを取り付ける上で不便であるため、例えば、吹抜部分を構成する形鋼からなる梁に孔を形成するとともに、その孔に、上端がコ字状に折り曲げられた線状のフックを引っ掛け、このフックで安全ネットの周囲を係止するようにした安全ネットの係止構造が提案されている（特許文献１参照）。
【０００４】
また、形鋼からなる梁の底面に平板状の基盤を固定して、建築時には基盤底面のフックで安全ネットを係止する一方、建築完了時にはフックと共に基盤を梁から取り外すようにした安全ネットの取付構造が提案されている（特許文献２参照）。
【特許文献１】特開２００２−３３９５７４号公報
【特許文献２】実開平５−９２３４７号公報
【発明の開示】
【発明が解決しようとする課題】
【０００５】
しかしながら、吹抜部分の梁には補強のために補強プレートが取り付けられることが多く、上記特許文献１のように梁に孔を形成した場合、この孔が補強プレートで隠蔽されてしまい使用できない。さらに、線状のフックは繰り返し使用しているうちに弾性が低下し、所望の強度が得られなくなる恐れがある。
【０００６】
また、特許文献２の場合も同様に、吹抜部分の梁に補強プレートが取り付けられていると、基盤を梁に固定することができない。さらに、特許文献２では、ピンを用いて基盤を梁に固定しているだけであるから、基盤が梁から外れる恐れもある。
【０００７】
本発明の課題は、安全ネットを確実に取り付けることのできる安全ネットの取付構造、および安全ネットの取付方法を提供することにある。
【課題を解決するための手段】
【０００８】
上記課題を解決するために、本発明は、請求項１に記載の発明は、建築時に、吹抜部分に取り付けられる安全ネットの取付構造であって、前記吹抜部分の梁に沿って設けられ複数の孔が形成された補強材と、幅方向の寸法が前記補強材の孔の幅よりも僅かに大きく、且つ幅方向両側にそれぞれ溝部が形成された取付部材と、該取付部材に設けられた係止部材とを備え、前記安全ネットを前記吹抜部分に取り付ける場合、前記取付部材を傾斜させて前記補強材の孔内に挿入するとともに、該取付部材を回動させて前記溝部を前記孔の内周縁部に嵌合させることにより、前記取付部材を前記補強材に固定する一方、前記係止部材で前記安全ネットを係止することを特徴としている。
【０００９】
上記構成によれば、取付部材を孔の内部で回動させて、取付部材の溝部を孔の内周縁部に嵌合させることによって、取付部材を補強材に強固に固定することができる。そして、
取付部材に設けられた係止部材で安全ネットを係止するため、安全ネットを吹抜部分に確実に取り付けることが可能となる。
【００１０】
請求項２に記載の発明は、請求項１において、前記取付部本体は板状部材で形成されていることを特徴としている。
【００１１】
請求項３に記載の発明は、建築時に、吹抜部分に取り付けられる安全ネットの取付構造であって、前記吹抜部分の梁に沿って設けられ複数の孔が形成された補強材と、幅方向両側に爪部が設けられ、一側の爪部と他側の爪部との間隔が前記補強材に形成された隣り合う孔の間のリブの幅よりも僅かに大きく形成された取付部材と、該取付部材の一側端部に設けられた係止部材とを備え、前記安全ネットを前記吹抜部分に取り付ける場合、前記取付部材を水平にして幅方向両側の前記爪部を前記リブに合致させるとともに、前記係止部材が設けられた一側端部が下側になるよう前記取付部材を回動させて前記両爪部で前記リブを挟持することにより、前記取付部材を前記補強材に固定する一方、前記係止部材で前記安全ネットを係止することを特徴としている。
【００１２】
上記構成によれば、係止部材が設けられた一側端部が下側になるよう取付部材を回動させ、幅方向両端の爪部でリブを挟持することにより、取付部材を補強材に強固に固定することができる。そして、取付部材に設けられたフックで安全ネットを係止するため、安全ネットを吹抜部分に確実に取り付けることが可能となる。
【００１３】
請求項４に記載の発明は、請求項１又は３において、前記係止部材はカラビナであることを特徴としている。
【００１４】
請求項５と請求項６は安全ネットの取付方法についての発明である。すなわち、請求項５に記載の発明は、建築時に吹抜部分に安全ネットを取り付ける際に、前記吹抜部分の梁に、複数の孔が形成された補強材を設けておき、幅方向の寸法が前記補強材の孔の幅よりも僅かに大きく且つ幅方向両側に溝部が形成された取付部材を、傾斜させた状態で前記補強材の孔内に挿入するとともに、該取付部材を回動させて前記溝部を前記孔の内周縁部に嵌合させることにより、前記取付部材を前記補強材に固定し、次に、前記取付部材に設けられた係止部材で前記安全ネットを係止することを特徴としている。
【００１５】
請求項６に記載の発明は、建築時に吹抜部分に安全ネットを取り付ける際に、前記吹抜部分の梁に、複数の孔が形成された補強材を設けておき、幅方向両側に爪部が設けられ一側の爪部と他側の爪部との間隔が前記補強材に形成された隣り合う孔の間のリブの幅よりも僅かに大きく形成された取付部材を、水平状態にして幅方向両側の前記爪部を前記リブに合致させるとともに、前記取付部材を傾斜させて前記両爪部で前記リブを挟持することにより、前記取付部材を前記補強材に固定し、次に、前記取付部材の一側端部に設けられた係止部材で前記安全ネットを係止することを特徴としている。
【発明の効果】
【００１６】
本発明によれば、取付部材を補強材に強固に固定することができ、これにより、安全ネットを吹抜部分に確実に取り付けることが可能となる。
【発明を実施するための最良の形態】
【００１７】
以下、本発明の実施例を図面に従って説明する。
【実施例】
【００１８】
図１は、取付部材としての取付金具Ａを示しており、（ａ）はその平面図、（ｂ）は正面図、（ｃ）は右側面図である。なお、図１（ａ）において、左側は取付部材Ａの前側で
あり、右側は取付部材Ａの後側である。
【００１９】
取付金具Ａは全体が金属製の平板からなり、中央平板部１と、中央平板部１の前側に設けられ下方に折り曲げられた前側折り曲げ部２と、中央平板部１の後側に設けられ下方に折り曲げられた後側折り曲げ部３と、中央平板部１の左右（図１（ａ）の上下）に設けられた張出部４，５とを備えている。ここで、前側折り曲げ部２は中央平板部１に対して下方に４５度に折り曲げられ、また後側折り曲げ部３は中央平板部１に対して下方に９０度に折り曲げられている。
【００２０】
前側折り曲げ部２は先端が尖った形状をなし、その先端部分近傍には貫通孔６が形成されている。貫通孔６には図示していないカラビナが係合される。また、後側折り曲げ部３は左右が三角形状にカットされ、後部から見ると全体が逆台形に形成されている（図１（ｃ）参照）。
【００２１】
左右の張出部４，５には取付金具Ａの前後方向に沿って中央に溝部７，８が形成されている。張出部４と張出部５の張出方向（中央平板部１の幅方向）における両側端部間の間隔は、梁の補強材に開けられた孔９（図４参照）の横幅よりも僅かに大きく、また、溝部７の底部と溝部８の底部との間隔は前記孔９の横幅よりも僅かに小さく設定されている。
【００２２】
張出部４は溝部７によって前側張出部４Ａと後側張出部４Ｂとに分割され、また、張出部５は溝部８によって前側張出部５Ａと後側膨出部５Ｂとに分割されている。後側張出部４Ｂ，５Ｂは横方向に張り出しているだけであるが、前側張出部４Ａ，５Ａは先端側が下方へ９０度折り曲げられており、これら前側張出部４Ａ，５Ａの先端側には側方折り曲げ部４Ｃ，５Ｃがそれぞれ形成されている。また、側方折り曲げ部４Ｃ，５Ｃは上部がカットされており、このカットされた部分４Ｄ，５Ｄはそれぞれ溝部７，８に繋がっている。
【００２３】
図２は、取付部材としての取付金具Ｂを示しており、（ａ）はその平面図、（ｂ）は正面図、（ｃ）は左側面図である。また、図３は図２（ａ）のＳＡ−ＳＡ線に沿った断面図である。
【００２４】
取付金具Ｂは全体が金属で形成され、断面コ字状の部材が「く」の字型に折り曲げられたアーム部１０と、アーム部１０の上方に設置された係合本体部１１とを備えている。係合本体部１１は略帯状をなした平板を折り曲げて形成されている。すなわち、係合本体部１１は、下部がアーム部１０の端面に固定された垂直部１１Ａ、垂直部１１Ａに対して鋭角（約６５度）に折り曲げられた傾斜部１１Ｂ、傾斜部１１Ｂの端部に設けられアーム部１０の中央部（「く」の字型に折り曲げられた部分近傍）に固定された水平部１１Ｃ、および水平部１１Ｃの先端部が直角に折り曲げられた折り曲げ部１１Ｄから構成されている（図２（ｂ）参照）。
【００２５】
係合本体部１１の傾斜部１１Ｂは、一側側部（図２（ａ）において上側の側部）がカットされ、さらに、このカットされた部分１１Ｅの奥は傾斜部１１Ｂの長手方向に沿って互いに反対方向にえぐられている。これにより、傾斜部１１Ｂには爪部１２，１３が対向して形成されている。ここで、爪部１２の先端と爪部１３の先端との間隔は、梁の補強材に開けられた隣り合う孔９の間のリブ１４（図４参照）よりも僅かに大きく設定されている。
【００２６】
また、アーム部１０のうちで、係合部本体１１が固定されていない方のアーム部先端には貫通孔１５が形成されている。この貫通孔１５にはカラビナが係合される。
【００２７】
次に、上記取付金具Ａ，Ｂを用いて安全ネットを取り付ける手順について説明する。
【００２８】
まず、図４に示すように、取付金具Ａを補強材１６に取り付ける場合は、取付金具Ａを傾斜させて孔９に挿入する。取付金具Ａの中央平板部１の幅は孔９の横幅よりも僅かに大きく形成されているが、取付金具Ａを傾斜させることにより、取付金具Ａを孔９内に容易に挿入することができる。
【００２９】
取付金具Ａを孔９内に挿入したら、取付金具Ａの溝部７，８を孔９の内周縁部に合わせた後、取付金具Ａ全体を一方向に回動させる（図４の場合は時計方向に回動させる）。すると、溝部７，８が孔９の内周縁部に嵌合し、これにより、取付金具Ａを補強材１６に強固に固定することができる。
【００３０】
次に、取付金具Ｂを補強材１６に取り付ける場合は、係合部本体１１の傾斜部１１Ｂを水平状態にして、爪部１２，１３を補強材１６のリブ１４に合致させるとともに、アーム部１０のうち貫通孔１５が設けられた側が下側になるよう取付金具Ｂ全体を回動させる（図４の場合は時計方向に回動させる）。すると、アーム部１０は水平になるとともに、傾斜部１１Ｂは傾斜した状態になり、爪部１２，１３でリブ１４を挟持することになる。これにより、取付金具Ｂを補強材１６に強固に固定することができる。
【００３１】
図５および図６は取付金具Ａ，Ｂを補強材１６に固定した様子を示しており、図５は正面図であり、図６は図５のＢ−Ｂ線に沿った断面図である。図４では、取付金具Ｂとして補強材１６の一側（図４では右側）に固定されるものを示したが、図５および図６では補強材１６の他側（図５および図６では左側）に固定される取付金具Ｂを示している。補強材１６の他側に固定される取付金具Ｂは、補強材１６の一側に固定されるものに対して左右が逆になっているだけである。なお、図５中、２０はユニット柱であり、２１はジョイントピースである。
【００３２】
取付金具Ａ，Ｂを補強材１６に固定したら、図７に示すように、取付金具Ｂではアーム部１０先端の貫通孔１５にカラビナ２２を通すことにより、安全ネット２３周囲の縁綱２３Ａのうち隅部が係止される。また、取付金具Ａでは前側折り曲げ部２先端の貫通孔６にカラビナ２４を通すことにより、安全ネット２３周囲の縁綱２３Ａのうち中間部が係止され、同時に安全ネット２５周囲の縁綱２５Ａのうち隅部が係止される。つまり、図７において、中央部分は安全ネット２３と安全ネット２５とが二重重ねになっている。
【００３３】
図８に示すように、相対向する補強材１６，１６間には足場２６が組まれ、通常、安全ネット２３は足場２６の下側に取り付けられる。足場２６には両サイドの端部に進退自在ロッド２７が設けられ、このロッド２７が進出すると補強材１６の孔９内に挿入され、これにより、足場２６が補強材１６に固定される。
【００３４】
図８中、円で囲んだ図形は足場２６をＣ方向から見たときの矢視図である。図に示すように、足場２６の両サイド端部には、レバー２８Ａを有する操作機構２８が設けられ、レバー２８Ａを矢印Ｄのように操作すると、ロッド２７は矢印Ｄのように退避する。逆に、レバー２８Ａを矢印Ｄとは反対方向に操作すると、ロッド２７は矢印Ｄとは反対方向に移動して進出する。
【００３５】
足場２６が組まれている状態で補強材１６の孔９に取付金具Ａを取り付けるには、レバー２８Ａを操作して足場２６のロッド２７を孔９から一旦退避させる。そして、孔９内に取付金具Ａを取り付ける。取付金具Ａの取り付け方は上述したとおりである。取付金具Ａの取付が終了したら、レバー２８Ａを逆方向に操作して足場２６のロッド２７を孔９内に挿入する。
【００３６】
図９および図１０は取付金具Ｂの変形例を示しており、図９はその取付金具Ｂを補強材に取り付けたときの正面図、図１０は図９のＥ−Ｅ線に沿った断面図である。この変形例では、取付金具Ｂ’は補強材１６の孔９の内周縁部と補強材１６の端部との間のリブ３０を、爪部３１，３２で挟持するように構成されている。
【００３７】
以上、図面に従って本発明の実施例を詳述してきたが、具体的な構成は、この実施例に限らず、本発明の要旨を逸脱しない程度の設計的変更は、本発明に含まれる。例えば、取付金具Ａ，Ｂ，Ｂ’を金属製のものとして説明してきたが、これらは合成樹脂製のものであってもよい。
【図面の簡単な説明】
【００３８】
【図１】取付金具Ａを示しており、（ａ）はその平面図、（ｂ）は正面図、（ｃ）は右側面図である。
【図２】取付金具Ｂを示しており、（ａ）はその平面図、（ｂ）は正面図、（ｃ）は左側面図である。
【図３】図２（ｂ）のＳＡ−ＳＡ線に沿った断面図である。
【図４】取付金具Ａ，Ｂを補強材に取り付ける方法を説明した図である。
【図５】取付金具Ａ，Ｂが取り付けられた補強材の正面図である。
【図６】図５のＢ−Ｂ線に沿った断面図である。
【図７】取付金具Ａ，Ｂを用いて安全ネットを取り付けた様子を示す図である。
【図８】足場が組み立てられた補強材に取付金具Ａを取り付ける様子を示す図である。
【図９】変形例による取付金具Ｂ’が取り付けられた補強材の正面図である。
【図１０】図９のＥ−Ｅ線に沿った断面図である。
【符号の説明】
【００３９】
１  中央平板部
２  前側折れ曲げ部
３  後側折れ曲げ部
４，５  張出部
７，８  溝部
９  孔
１０  アーム部
１１  係合本体部
１１Ｂ  傾斜部
１２，１３  爪部
１４，３０  リブ
１６  補強材
２２，２４  カラビナ
２３，２５  安全ネット
Ａ，Ｂ，Ｂ’取付金具
【図１】
2006112196.tif 000003
【図２】
2006112196.tif 000004
【図３】
2006112196.tif 000005
【図４】
2006112196.tif 000006
【図５】
2006112196.tif 000007
【図６】
2006112196.tif 000008
【図７】
2006112196.tif 000009
【図８】
2006112196.tif 000010
【図９】
2006112196.tif 000011
【図１０】
2006112196.tif 000012